(57)【要約】【課題】  懸垂式昇降搬送装置用台車の台車本体と、昇降体とを結び、内部に互いに絶縁された電線が埋設された帯状ベルトが、台車本体部に設けられたドラムに巻取り、或いは当該ドラムから繰出すに当り必要とされるスリップリングと刷子を主体とする通電機構において、スリップリングと刷子との摺動面に付着する絶縁被膜を効率よく除去する。【解決手段】  通電機構の主たる構成要素としてのスリップリング１３ｃと刷子１３ｅとを洗浄装置にセットするか、あるいは台車本体にセットしたままの状態で、ＯＨＴ台車の稼動時における帯状ベルト用ドラムの回転速度よりも高い回転速度にてスリップリング１３ｃを回転させ、併せて、洗浄液、好ましくはイソプロピルアルコール、エチルアルコールなどの有機溶剤をスリップリング１３ｃの刷子１３ｅとの摺動面に適宜注入する。【選択図】図４
2006143343.tif 000002
【特許請求の範囲】
【請求項１】
懸垂式昇降搬送装置用台車であって、
昇降機構と、被搬送物を把持する昇降体とを連結し、可撓性を有する複数本の帯状ベルトを備え、
当該各帯状ベルトの一端は前記昇降体に固定され、他端は前記昇降機構に備えられたドラムの所定の支持部に固定され、
前記各帯状ベルトには電力供給用乃至制御信号授受用の電線が必要本数埋設され、当該各電線の昇降体側の各一端部は昇降体の所定箇所に接続され、当該電線の各他端部は前記ドラムと同期して回転し、互いに絶縁されている所定のスリップリングに接続され、
前記各スリップリングには、昇降機構側の所定の端子に接続される各刷子が摺動して固定部と可動部間の通電機構とする構成において、
前記スリップリングの刷子摺動面に対して適宜の周期において洗浄液を供給するとともにスリップリングの回転速度を稼動時に昇降体を昇降させる場合の回転速度より大とすることを特徴とする懸垂式昇降搬送装置用台車における通電機構の洗浄方法。
【請求項２】
洗浄液が有機溶剤であることを特徴とする請求項１に記載の懸垂式昇降搬送装置用台車における通電機構の洗浄方法。
【請求項３】
有機溶剤がイソプロピルアルコールまたはエチルアルコールであることを特徴とする請求項２に記載の懸垂式昇降搬送装置用台車における通電機構の洗浄方法。
【請求項４】
懸垂式昇降搬送装置用台車であって、
昇降機構と、被搬送物を把持する昇降体とを連結し、可撓性を有する複数本の帯状ベルトを備え、
当該各帯状ベルトの一端は前記昇降体に固定され、他端は前記昇降機構に備えられたドラムの所定の支持部に固定され、
前記各帯状ベルトには電力供給用乃至制御信号授受用の電線が必要本数埋設され、当該各電線の昇降体側の各一端部は昇降体の所定箇所に接続され、当該各電線の各他端部は前記ドラムと同期して回転し、互いに絶縁されている所定のスリップリングに接続され、
前記各スリップリングには、昇降機構側の所定の端子に接続される各刷子が摺動して固定部と可動部間の通電機構とする構成において、
前記各スリップリング及びこれらに摺動する各刷子からなる通電機構を昇降機構から取り外し、当該通電機構の刷子を含む固定部の固定手段と、各スリップリングの回転速度を稼動時に昇降体を昇降させる場合の回転速度より大とする回転駆動手段と、各スリップリングの刷子摺動面に対して洗浄液を注入する手段と、を備えたことを特徴とする懸垂式昇降搬送装置用台車における通電機構の洗浄装置。
【請求項５】
懸垂式昇降搬送装置用台車であって、
昇降機構と、被搬送物を把持する昇降体とを連結し、可撓性を有する複数本の帯状ベルトを備え、
当該各帯状ベルトの一端は前記昇降体に固定され、他端は前記昇降機構に備えられたドラムの所定の支持部に固定され、
前記各帯状ベルトには電力供給用乃至制御信号授受用の電線が必要本数埋設され、当該各電線の昇降体側の各一端部は昇降体の所定箇所に接続され、当該各電線の各他端部は前記ドラムと同期して回転し、互いに絶縁されている所定のスリップリングに接続され、
前記各スリップリングには、昇降機構側の所定の端子に接続される各刷子が摺動して固定部と可動部間の通電機構とする構成において、
前記各スリップリング及びこれらに摺動する各刷子からなる通電機構を、各スリップリングの回転速度を稼動時に昇降体を昇降させる場合の回転速度より大とし、各スリップリングの刷子摺動面に対して洗浄液を注入する手段を備えたことを特徴とする懸垂式昇降搬送装置用台車における通電機構の洗浄装置。
【請求項６】
昇降機構の昇降体が昇降稼動時において上記帯状ベルトが前記ドラムに巻取り或いは前記ドラムからの繰出しの最終時点のスリップリングと刷子との接触位置と、
前記通電機構の洗浄時の上記帯状ベルトが前記ドラムに巻取り或いは前記ドラムからの繰出しの最終時点のスリップリングと刷子との接触位置とが異なるようにしたことを特徴とする請求項５に記載の懸垂式昇降搬送装置用台車における通電機構の洗浄装置。
【請求項７】
洗浄液を注入する手段が通電機構を囲むケースにおけるスリップリングの配列方向に形成した一連の開孔を形成し、この一連の開孔は洗浄液の注入口の先端部が挿入されたときのみ開口するようにしたことを特徴とする請求項５又は６に記載の懸垂式昇降搬送装置用台車における通電機構の洗浄装置。
【請求項８】
洗浄液を注入する手段が通電機構を囲むケースにおけるスリップリングの配列方向に形成した一連の開孔に対して開閉制御可能のスライド板を設け、このスライド板は洗浄液の注入口の先端部が前記一連の開孔へ挿入される際に、当該一連の開孔を開口させ、洗浄作業終了後はスライド板を元の位置にスライドさせ閉口するようにしたことを特徴とする請求項５又は６に記載の懸垂式昇降搬送装置用台車における通電機構の洗浄装置。
【請求項９】
洗浄液が有機溶剤であることを特徴とする請求項４乃至８の何れかに記載の懸垂式昇降搬送装置用台車における通電機構の洗浄装置。
【請求項１０】
有機溶剤がイソプロピルアルコールまたはエチルアルコールであることを特徴とする請求項９に記載の懸垂式昇降搬送装置用台車における通電機構の洗浄装置。
【請求項１１】
請求項５乃至１０の何れかの懸垂式昇降搬送装置用台車における通電機構の洗浄装置を備えたことを特徴とする懸垂式昇降搬送装置用台車。
【発明の詳細な説明】
【技術分野】
【０００１】
本発明は、レールに吊下げ状態で走行する懸垂式昇降搬送装置用台車（以下、ＯＨＴ用台車という）において、昇降機構と、被搬送物を把持・昇降するハンド部（以下、昇降体という）と、を結び、ドラムへの巻取り、ドラムからの繰出しによって伸縮自在の帯状ベルト内に埋設される電力供給用乃至制御信号授受用の複数電線への通電機構の洗浄方法及び装置並びにこの洗浄装置を備えたＯＨＴ用台車に関するものである。
【背景技術】
【０００２】
例えば、半導体製造工程における各種処理（洗浄、ＣＶＤほか）を順次行うために半導体ウエハを収納、搬送するためのキャリアほか、液晶製造、ＦＡなどにおいて板状体を各種処理部に移送させるためのキャリア等の被搬送物用搬送手段は、生産性向上の観点から、近年、懸垂式昇降搬送装置（以下、ＯＨＴという）が主流となってきている。
このＯＨＴは、ＯＨＴ用台車が有する昇降機構によって所定の箇所において前記キャリア等の被搬送物を昇降させるとともに、当該ＯＨＴ用台車を、所定の軌道に沿って配設されたレールに懸垂状態で移送させる構成をなしている。
【０００３】
このようなＯＨＴにおいて、ＯＨＴ用昇降機構と、昇降体とは、複数本（通常４本）の帯状ベルトによって結ばれている。そして、この帯状ベルトはＯＨＴ用昇降機構に備えられるドラムに巻取られ或いは同ドラムから繰出され、前記昇降体の上下動制御を図る。
ところで、前記帯状ベルト中には、昇降体の駆動制御のための電力供給用乃至制御信号授受用の複数電線が埋設されている。このような先行技術として、特許文献１がある。
この特許文献１には詳細な記述はないが、帯状ベルトはその一端は昇降体に固定され、他端はドラムの所定部に固定される。
この際、帯状ベルトの昇降体側の端部における複数本の電線の接続は、接続される部分同士の相対位置が変動しないので容易に行うことができる。
【０００４】
しかし、帯状ベルトのドラム側の端部は、帯状ベルトのドラムへの巻取り或いはドラムからの繰出しに伴う伸縮に伴って回転するため、これに対して電力供給、通信などのための通電を行うためにはスリップリングに対して刷子を摺動させる手段を用いる必要がある。
このスリップリング方式の通電方式では、スリップリングの刷子摺動面で磨耗が起り、この際、発生する磨耗紛は酸化物となってスリップリングにおける刷子摺動面に沈着し、被膜を形成する。
この酸化物からなる被膜は不導体であり、絶縁物として作用するため、刷子と、これが摺動するスリップリング表面間の電気抵抗は次第に大きくなり、ＯＨＴ用台車の昇降体への電力供給及び制御信号の通信が突然不可能となり、実質的にＯＨＴの稼動ができなくなる恐れがある。
【０００５】
ところで、ＯＨＴ用台車の昇降体の昇降動作における上限位置と下限位置とは、通常、一定に規制されている。従って、昇降体を支持する帯状ベルトのドラムへの巻取り及びドラムからの繰出しの最終位置は一定である。これに伴い、刷子とスリップリングからなる通電機構において固定状態の刷子に対して摺動回転するスリップリングが一旦停止し、回転方向を変える位置は２箇所（帯状ベルトのトラムへの巻取り及びドラムからの繰出し終期におけるドラム位置が一致すれば、希に１箇所もありえる）あり、とりわけ、この２箇所において磨耗粉が所謂置去り状態を来し、これが繰り返されることによって前記回転方向を変える２箇所において磨耗粉は沈着し、推積し、絶縁被膜を形成するに至る。
【０００６】
前記のようにＯＨＴ用昇降機構と昇降体との間の通電作用を担うものであって、刷子及びスリップリングからなる通電機構は、複数本（通常４本）の帯状ベルトを同期してドラムから繰出し、或いはドラムへ巻取る機構ほかにて限られたスペースに多くの部品を収納する必要がある。
従って、前記通電機構におけるスリップリングのサイズは小さい程好ましく、このサイズは限界まで小型化され、これに伴い、スリップリングの刷子摺動面とりわけ酸化物からなる被膜の推積しやすい回転方向変換時に刷子に接触する２箇所のクリーニングが的確に行われにくい傾向があった。
【０００７】
今、スリップリングの刷子摺動面に生じた酸化物の除去に係る先行技術を検討すると、特許文献２のみの存在が確認された。
この特許文献２は、本願各発明に対して、スリップリングの刷子との摺動面に付着した酸化絶縁皮膜を除去するという概念において共通点がある。
しかし、この特許文献２は、図１、図２に示される自励式交流発電機において、回転界磁コイルＷｆへの励磁電流供給のための通電手段としてスリップリングと、これに摺動する刷子とを有し、未使用期間がある程度長期に亘る場合に、スリップリング表面に不導体として作用する酸化物からなる被膜が形成されることの対策を開示している。
即ち、特許文献２に開示の技術は、自励式交流発電機稼動前に、一時的にスリップリング及びこれに摺動する刷子間に強い電流を流し、これによって発生するジュール熱で酸化物を破壊することを要旨としており、本願各発明とは用途を異にしている。
【０００８】
【特許文献１】特開平１１−３２２２８１
【特許文献２】特開２００４−７２９１１
【発明の開示】
【発明が解決しようとする課題】
【０００９】
従来のＯＨＴ用台車におけるスリップリング及び刷子からなる通電機構は前記のようにサイズが限界まで小型化されているため、スリップリングにおける刷子摺動面の酸化被膜のクリーニング方法として、当業者において周知手段を採用している。
即ち、スリップリングを、刷子との摺動状態を維持しつつ高速回転し、刷子でクリーニングする方法が試みられている。
しかし、この手法によるスリップリングのクリーニング方法は、一応のクリーニング効果が得られるとは言え、再クリーニングを必要とするに至る周期が短縮傾向を示す。
このため、ＯＨＴ用台車の稼動率低下を来さないためには、クリーニング回数はさほど多くは望めず、新品への交換の頻度が増す傾向にあった。
【００１０】
そこで、本発明の目的は、ＯＨＴ用台車において、昇降機構から昇降体への操作電力供給及び昇降機構と昇降体との制御信号授受を担うものであって、互いに絶縁されて組立てられた一連のスリップリングと刷子からなる通電機構のクリーニング手段として、ＯＨＴ用台車の不稼動時に適宜洗浄液をスリップリングの刷子摺動面の適所に注入しつつスリップリングを回転させることによって、スリップリングの刷子摺動面に付着した絶縁物からなる酸化被膜を的確に除去することにある。
【課題を解決するための手段及び効果】
【００１１】
上記課題を解決するため、請求項１に記載のＯＨＴ用台車における通電機構の洗浄方法は、ＯＨＴ用台車であって、昇降機構と、被搬送物を把持する昇降体とを連結し、可撓性を有する複数本の帯状ベルトを備え、当該各帯状ベルトは、その一端を前記昇降体に固定され、他端は前記昇降機構に備えられたドラムの所定の支持部に固定され、前記各帯状ベルトには電力供給用乃至制御信号授受用の電線が必要本数埋設され、当該各電線の昇降体側の各一端部は昇降体の所定箇所に接続され、当該電線の各他端部は前記ドラムと同期して回転し、互いに絶縁されている所定のスリップリングに接続され、前記各スリップリングには、昇降機構側の所定の端子に接続される各刷子が摺動して固定部と可動部間の通電機構とする構成において、前記スリップリングの刷子摺動面に対して適宜の周期において洗浄液を供給するとともにスリップリングの回転速度を稼動時に昇降体を昇降させる場合の回転速度より大とすることを特徴とする。
【００１２】
この請求項１に係る発明によれば、通電機構におけるスリップリングの刷子摺動面のクリーニングに際して、単なるスリップリングと刷子との摺動作用に比べて、洗浄作用が強力で、絶縁物としての酸化被膜の除去効率が向上し、通電機構の耐用期間が長くなる実利がある。
また、洗浄液を、前記酸化被膜の成分分析に応じて選定することによってスリップリングの洗浄効果を更に向上させることができる。
【００１３】
請求項２に記載のＯＨＴ用台車における通電機構の洗浄方法は、請求項１に記載のＯＨＴ用台車における通電機構の洗浄方法において、洗浄液が有機溶剤であることを特徴としている。
この請求項２に係る発明によれば、前記請求項１に係る発明の効果は元より、スリップリングの刷子摺動面に付着する絶縁被膜の排除効果の向上が図れる。
【００１４】
請求項３に記載のＯＨＴ用台車における通電機構の洗浄方法は、請求項２に記載のＯＨＴ用台車における通電機構の洗浄方法において、有機溶剤がイソプロピルアルコールまたはエチルアルコールであることを特徴とする。
この請求項３に係る発明によれば、前記請求項２に係る発明の効果は元より、有機溶剤の中で種々実験の結果人体に安全でかつ、スリップリングの刷子摺動面に付着する絶縁被膜の排除効果の向上が特に優れていることが確認された。
【００１５】
請求項４に記載のＯＨＴ用台車における通電機構の洗浄装置は、ＯＨＴ用台車であって、昇降機構と、被搬送物を把持する昇降体とを連結し、可撓性を有する複数本の帯状ベルトを備え、当該各帯状ベルトの一端は前記昇降体に固定され、他端は前記昇降機構に備えられたドラムの所定の支持部に固定され、前記各帯状ベルトには電力供給用乃至制御信号授受用の電線が必要本数埋設され、当該各電線の昇降体側の各一端部は昇降体の所定箇所に接続され、当該各電線の各他端部は前記ドラムと同期して回転し、互いに絶縁されている所定のスリップリングに接続され、前記各スリップリングには、昇降機構側の所定の端子に接続される各刷子が摺動して固定部と可動部間の通電機構とする構成において、前記各スリップリング及びこれらに摺動する各刷子からなる通電機構を昇降機構から取外し、当該通電機構の刷子を含む固定部の固定手段と、各スリップリングの回転速度を稼動時に昇降体を昇降させる場合の回転速度より大とする回転駆動手段と、各スリップリングの刷子摺動面に対して洗浄液を注入する手段と、を備えたことを特徴とする。
【００１６】
この請求項４に係る発明によれば、通電機構におけるスリップリングの刷子摺動面のクリーニングに際して、スリップリング及び刷子から構成される通電機構をＯＨＴ用台車より取外し、高速にて一方向に連続回転にてスリップリングに刷子を摺動させることができ、併せてスリップリングの刷子との摺動面に洗浄液を注入する。
これによって、通電機構の洗浄後の再利用に際して、次回必要とする洗浄時期までの期間を延ばすことができ、ひいては通電機構の寿命を延ばすことができる。
更に、スリップリングの洗浄期間中においても予備のスリップリングを用いることによってＯＨＴ用台車の稼動を休止することなくほぼ連続運転が可能である。
【００１７】
請求項５に記載のＯＨＴ用台車における通電機構の洗浄装置は、昇降機構と、被搬送物を把持する昇降体とを連結し、可撓性を有する複数本の帯状ベルトを備え、当該各帯状ベルトの一端は前記昇降体に固定され、他端は前記昇降機構に備えられたドラムの所定の支持部に固定され、前記各帯状ベルトには電力供給用乃至制御信号授受用の電線が必要本数埋設され、当該各電線の昇降体側の各一端部は昇降体の所定箇所に接続され、当該各電線の各他端部は前記ドラムと同期して回転し、互いに絶縁されている所定のスリップリングに接続され、前記各スリップリングには、昇降機構側の所定の端子に接続される各刷子が摺動して固定部と可動部間の通電機構とする構成において、前記各スリップリング及びこれらに摺動する各刷子からなる通電機構を、各スリップリングの回転速度を稼動時に昇降体を昇降させる場合の回転速度より大とし、各スリップリングの刷子摺動面に対して洗浄液を注入する手段を備えたことを特徴とする。
【００１８】
この請求項５に係る発明によれば、通電機構におけるスリップリングの刷子摺動面のクリーニングに際して、通電機構をＯＨＴ台車にセットした状態において、通電機構の前記刷子摺動面の絶縁物からなる酸化被膜を排除でき、洗浄液の効果も加わり、洗浄に要する時間は著しく短縮され、効率よく通電機構の酸化被膜を排除できる。
【００１９】
請求項６に記載のＯＨＴ用台車における通電機構の洗浄装置は、請求項５に記載のＯＨＴ用台車における通電機構の洗浄装置において、昇降機構の昇降体が昇降稼動時において上記帯状ベルトが前記ドラムに巻取り或いは前記ドラムからの繰出しの最終時点のスリップリングと刷子との接触位置と、前記通電機構の洗浄時の上記帯状ベルトが前記ドラムに巻取り或いは前記ドラムからの繰出しの最終時点のスリップリングと刷子との接触位置とが異なるようにしたことを特徴とする。
この請求項６に係る発明によれば、前記請求項５に係る発明の効果は元より、スリップリングの表面のうち特に酸化被膜が推積しやすい箇所、即ち帯状ベルトが前記ドラムに巻取り或いは前記ドラムからの繰出しの最終時点（通常２箇所）の洗浄工程においてスリップリングと刷子との摺動が常に継続されるため、洗浄効果を一層向上させることができる。
【００２０】
請求項７に記載のＯＨＴ用台車における通電機構の洗浄装置は、請求項５又は６に記載のＯＨＴ用台車における通電機構の洗浄装置において、洗浄液を注入する手段が通電機構を囲むケースにおけるスリップリングの配列方向に形成した一連の開孔を形成し、この一連の開孔は洗浄液の注入口の先端部が挿入されたときのみ開口するようにしたことを特徴とする。
この請求項７に係る発明によれば、この引用元の請求項５又は６に係る発明の効果は元より、洗浄液注入口が前記一連の開孔に挿入されない限り自動的に閉口することになり、洗浄時、非洗浄時の何れの場合であっても、通電機構への異物の混入を的確に防止できる。
【００２１】
請求項８に記載のＯＨＴ用台車における通電機構の洗浄装置は、請求項４乃至６の何れかに記載のＯＨＴ用台車における通電機構の洗浄装置において、洗浄液を注入する手段が通電機構を囲むケースにおけるスリップリングの配列方向に形成した一連の開孔に対して開閉制御可能のスライド板を設け、このスライド板は洗浄液の注入口の先端部が前記一連の開孔へ挿入される際に、当該一連の開孔を開口し、洗浄作業終了後はスライド板を元の位置にスライドさせ閉口するようにしたことを特徴とする。
この請求項７に係る発明によれば、この引用元の請求項５又は６に係る発明の効果は元より、洗浄液注入口が前記一連の開孔に挿入されない限り自動的に閉口することになり、洗浄時、非洗浄時の何れの場合であっても、通電機構への異物の混入を的確に防止できる。
【００２２】
請求項９に記載のＯＨＴ用台車における通電機構の洗浄装置は、請求項４乃至８の何れかに記載のＯＨＴ用台車における通電機構の洗浄装置において、洗浄液が有機溶剤であることを特徴とする
この請求項９に係る発明によれば、この引用元の請求項４乃至８の何れかに係る発明の効果は元より、スリップリングの刷子摺動面に付着する絶縁被膜の排除効果の向上が図れる。
【００２３】
請求項１０に記載のＯＨＴ用台車における通電機構の洗浄装置は、請求項９に記載のＯＨＴ用台車における通電機構の洗浄装置において、洗浄液が有機溶剤であることを特徴とする
この請求項１０に係る発明によれば、この引用元の請求項９に係る発明の効果は元より、有機溶剤の中で種々実験の結果人体に安全でかつ、スリップリングの刷子摺動面に付着する絶縁被膜の排除効果の向上が特に優れていることが確認された。
請求項１１に記載のＯＨＴ用台車は、請求項５乃至１０の何れかのＯＨＴ用台車における通電機構の洗浄装置を備えたことを特徴とする。
この請求項１１に係る発明によれば、洗浄装置を特定するための引用元の請求項５乃至１０の効果は元より通電機構の洗浄装置を独自に保有し、通電機構の洗浄についての効率向上を図るＯＨＴ用台車を得ることができる。
【発明を実施するための最良の形態】
【００２４】
以下、本発明の好適な実施の形態について図面を参照しつつ説明する。
先ず、図面の概要を述べると、図１は本発明に係るＯＨＴ用台車の構成を示す正面図、図２は本願各発明の適用箇所を抽出した概略構成図、図３はスリップリング組立て工程を説明するための分解斜視図、図４は通電機構の洗浄装置の構成を示す正面図、図５は通電機構におけるスリップリングに付着する絶縁被膜の成分の分析結果を示す特性図、図６は一連のスリップリングへの洗浄液を滴下するためのマイクロシリンジダイの斜視図、図７は通電機構への洗浄液注入時の具体例を示す概略構成図で、（Ａ）は洗浄液非注入時、（Ｂ）は洗浄液注入時の状態を示す。図８は通電機構への洗浄液注入時の他の具体例を示す概略構成図で、（Ａ）は洗浄液非注入時、（Ｂ）は洗浄液注入時の状態を示す。
以下、本発明の好適な実施の形態について図面を参照しつつ説明する。
【００２５】
さて、図１に示されるようにＯＨＴ用台車１は、天井における所定の軌道に沿って設けられた走行レール２に吊り下げられている。そして、このＯＨＴ用台車１は、その案内・駆動部３において、図示しない走行輪と案内輪とで走行レール２に規制されて走行する。この際、必要とされる動力は、走行輪に駆動モータを備えること、或いはレール２側とＯＨＴ用台車１側に夫々２次側、１次側を設ける直流リニアモータを備えること等周知の手段によって得られる。４は位置合せ機構で、後述する被搬送物の前記走行レール２におけるＯＨＴ用台車の走行方向と直交する方向及び回転方向の変位調整を図る。５は帯状ベルトで、前後左右に４本設けられ、ＯＨＴ用台車１内に備えられる昇降機構６により伸縮自在に制御され、昇降体７を昇降させるように構成される。そして、この帯状ベルト５は、内部に昇降部７への電力供給、及び制御信号の授受用の電線（図示せず）を埋設している。
【００２６】
７ａはグリッパ部材で、昇降体７の構成要素の一つであって、図示の左右方向に変位可能に支持されている。８は被搬送物で、具体的例として、洗浄、ＣＶＤほかの各種処理において未処理或いは処理済のウエハを収納したキャリア本体８ａと、前記グリッパ部材７ａによって把持又は把持の解除を受けるフランジ部８ｂから構成される。
【００２７】
次に、前記図１における昇降機構６と昇降体７とを結び、当該昇降体７を昇降制御するための要素の一つである帯状ベルト５と、その巻取り、繰出し機構の要部を抽出した図２を基に説明する。図２において、１１はドラムで、帯状ベルト５の繰出し及び巻取りを図示しない駆動源（モータ）によって駆動制御を受ける。５ａは帯状ベルト５に対してその長手方向に沿って配置される電線であって、そのドラム１１側端部はドラム内部に固定された第１のコネクタ１２に固定され、反ドラム１１側端部は昇降体７（図１参照）の所定箇所に接続される。
【００２８】
そして、この電線５ａは、図２においては構成上の理解を容易にするため最小本数として２本を示しているが、図１における昇降機構６から昇降体７への電力供給用及び昇降機構６及び昇降体７との間の必要な諸信号の授受など実際には９本互いに絶縁を施されて帯状ベルト内に埋設されている。
１３は通電機構で、収容ケース１３ａ、筒状絶縁体からなる回転軸１３ｂ、この回転軸１３ｂの軸方向に沿って配列されるスリップリング１３ｃ、相隣るスリップリング１３ｃ相互間の絶縁作用を図るリング状絶縁体１３ｄ、及び前記スリップリング１３ｃに摺動する刷子１３ｅ、絶縁成形部材１３ｆ、前記刷子１３ｅに接続される第１のリード線１３ｇ、回転軸１３ｂと一体的に前記ドラム１１と同期して回転する動力受部材１３ｈ、この動力受部材１３ｈ中を通り、これと一体的に回転するものであって、前記第１のコネクタ１２と着脱自在の第２のコネクタ１３ｉ、前記スリップリング１３ｃと第２のコネクタ１３ｉとを結ぶ第２のリード線１３ｊとから構成される。
なお、前記第２のコネクタ１３ｉは、対応する端子同士が前記第１のコネクタ１２との接続或いはその解除ができるように着脱自在に構成されている。
【００２９】
また、前記通電機構１３において、収容ケース１３ａは固定部１３ａx及びカバー部１３ａｙからなり、固定部１３ａｘは、動力受部材１３ｈを回動自在に支持するとともに、絶縁成形部材１３ｆを一体的に固定し、前記カバー部１３ａｙを着脱可能に支持している。
さらに、絶縁成形部材１３ｆは、前記刷子１３ｅ及びスリップリング１３ｃとは反対側の端部に接続される第１のリード線１３ｇを一体的に支持し、所定の箇所に通電機構１３を固定するための固定片１３ｆｘを形成している。
【００３０】
上記通電機構１３の構成において、図１の一定高さの駆動機構６とこれに対して高さの変動を来す昇降体７との通電は例えば、駆動機構６から昇降体７への電力供給時には、第１のリード線１３ｇ、刷子１３ｅ、スリップリング１３ｃ、第２のリード線１３ｊ、第２のコネクタ１３ｉ、第１のコネクタ１２、帯状ベルト５に埋設された電線５ａ、昇降体７の所定の接続端子からなる電路を通じて行われる。
次に、通電機構１３の要部の組立て工程について図３を参照して説明すると次の通りである。
【００３１】
第１工程：筒状絶縁物より形成される回転軸１３ｂに対して、第２のリード線１３ｊを軸内に導く長手方向に伸びる第１のスリット１３ｂｘと、第２のリード線１３ｊが重ならないように切り込み深さを変えて、円周方向に形成し、かつ前記第１のスリット１３ｂｘに連続する第２のスリット１３ｂｙを形成する。
第２工程：回転軸１３ｂに形成した第１のスリット１３ｂｘ及び第２のスリット１３ｂｙを通じて第２のリード線１３ｊをセットする。
第３工程：回転軸１３ｂに対して、リング状絶縁体１３ｄ及びスリップリング１３ｃを順次必要数嵌め込んでいく。この際、スリップリング１３ｃの嵌込みの都度、対応するスリップリング１３ｃと第２のリード線１３ｊを順次半田付けにて接続していく。
第４工程：回転軸１３ｂと、リング状絶縁体１３ｄと同じ素材にて空隙を充填し一体成形する。
【００３２】
なお、スリップリング１３ｃの材質は、通常、ＯＨＴ用台車の通電機構への適用に際しては金―銅合金が採用されている。
さて、スリップリング１３ｃにおける刷子１３ｅの摺動面の洗浄方法及び装置の最良の実施形態について図４を参照して説明する。
先ず、スリップリング１３ｃの洗浄に先だって、コネクタ１２とこれに接続されているコネクタ１３ｉとを切離し、併せて第１のリード線１３ｇの刷子１３ｅとは異なる端部に接続されている図示しないコネクタを、接続されている対応コネクタ（図示せず）から取外す。次いで、通電機構１３全体を当該通電機構１３が固定されている箇所から固定片１３ｆｘを開放することで取出し、収納ケース１３ａのカバー部１３ａｙを取除く。
【００３３】
このようにしてドラム１１との連係を解かれた通電機構１３の収納ケース１３ａの本体部１３ａｘと、これに一体化して付随する構成要素スリップリング１３ｃ、刷子１３ｅほかこれらに付随する構成要素は図４に示すの洗浄装置に移される。
図４において、２１はスリップリング洗浄装置用基台で、モータ２２、第１のスタンド２３，第２のスタンド２４、通電機構１３の刷子１３ｅを支持する絶縁成形部材１３ｆを固定するための支持部材２５が配列されている。２６はパイプで、前記スタンド２３，２４において両端部が回転自在に支持されており、モータ２２とは反対側のスタンド２４を通じて通電機構１３の構成要素としての第２のリード線１３ｊ及びその先端部に固定されているコネクタ１３ｉが導入可能で、これらと一体的に回転可能となっている。
【００３４】
そして、通電機構１３の絶縁形成部材１３ｆは前記支持部材２５で支持され、この際、絶縁形成部材１３ｆと一体成形されている固定片１３ｆｘが支持部材２５に形成した開孔２５ａに嵌合することで絶縁形成部材１３ｆの回転軸１３ｂとの連れまわりを防止している。動力受部材１３ｈは、前記パイプ２６と中心線を一致させたうえ、同期して回転するように第２のスタンド２４に支持されている。
モータ２２の駆動軸２２ａは直接または周知の変速機構を介してパイプ２６を駆動でできるように第１のスタンド２３においてパイプ２６の一端に連係している。２７は洗浄液滴下装置で、スリップリング１３ｃの上方部より適宜洗浄液を滴下する構成をなし、所謂スポイドの作用と均等である。
【００３５】
前記図４に示す洗浄装置の構成において、モータ２２が駆動されると、当該モータ２２の回転軸２２ａの回転に伴って、パイプ２６は、モータ軸２６の回転数或いは、変速装置（図示せず）が介在するときはその変速比に応じた割合で増速或いは減速して回転する。このパイプ２６の回転は、動力受部材１３ｈに伝達され、これに固定されるスリップリング１３ｃは動力受部材１３ｈと同じ速度で回転する。この際、パイプ２６内に収納されている第２のリード線１３ｊ及びその先端に固定されているコネクタ１３ｉはパイプ２６と一体的に回転する。
【００３６】
なお、前記のように回転するスリップリング１３ｃの表面には、洗浄液滴下装置２７から洗浄液が供給され、スリップリング１３ｃと刷子１３ｅとの摺動面に至ると、強力な洗浄効果を発揮し、スリップリング１３ｃの刷子１３ｅとの摺動面に付着した絶縁酸化被膜は次第に厚みを減少しつつ、最終段階において絶縁酸化被膜はほぼ完全に除去される。
また、このようにして刷子１３ｅに摺動しつつ回転するスリップリング１３ｃの回転数は、ＯＨＴ用台車に搭載されて稼動するときの回転数より大きく設定され、洗浄効果の向上を図っている。
洗浄を終えたスリップリング１３ｃほか通電機構１３の構成要素はスタンド２４及び支持部材２５から、取外し、図１におけるＯＨＴ用台車４の昇降機構６にセットして当該昇降機構６を駆動しＯＨＴ用台車１を稼動させる。
【００３７】
ところで、前記洗浄液滴下装置２７から滴下される洗浄液は種々のものが考えられるが、本実施の形態においては、有機溶剤が好ましく、さらに好ましくは、イソプロピルアルコールまたはエチルアルコールを用いることである。
なお、洗浄液を選定するための手段として、スリップリング１３ｃの刷子１３ｅに推積、・沈着し、絶縁物の性質を呈する酸化被膜の材質を分析して、材質に応じたものを選ぶことが肝要である。
【００３８】
この具体的分析結果を図５に基づいて説明する。図５は、前記酸化被膜をサンプル抽出し、Ｘ線分析した際のＸ線エネルギー（ｋｅＶ）に対するＸ線の強度（ｃｐｓ）を示し、加速電圧は２０ｋＶ、測定時間は１００ｓｅｃである。Ｘ線の強度は突出するＸ線エネルギー値から金（Ａｕ）、銀（Ａｇ）銅（Ｃｕ）炭素（Ｃ）酸素（Ｏ）が含まれていることが読取れる。
この結果、酸化被膜の成分は酸化銀、酸化銅ということが分かる。
従って、分析結果は、スリップリング１３ｃ及び刷子１３ｅの素材によって種々のデータが得られ、素材の内容を把握でき、この素材に適合する洗浄液の濃度、有機、無機などの選定を行うことができる。
【実施例１】
【００３９】
前記実施の形態においては、通電機構１３を取外した後、洗浄装置（図４参照）にセットして、スリップリング１３ｃの洗浄を行う具体的手段について述べた。
一方、本実施例１は、通電機構１３をドラム１１との連係機構を維持した状態にてスリップリング１３ｃの刷子１３ｅの摺動面に付着した絶縁被膜を除去する洗浄を行う例を示している。
先ず、洗浄液注入機構としてのマイクロシリンジダイについて図６を基に説明する。図６において３０はマイクロシリンジダイで。本体３１、この本体３１の先端部から両側に延びる洗浄液分布供給部材３２、この洗浄液分布供給部材３２に形成された一連の開孔３２ａ、
この一連の開孔３２ａ夫々に連なる中空針状体３３、本体３１内に供給された洗浄液を前記洗浄液分布供給部材３２に送り込むピストン部材３４から構成される。
【００４０】
前記マイクロシリンジダイ３０の構成において、本体３１に供給された洗浄液はピストン部材３４の押圧力によって洗浄液は洗浄液分布供給部材３２に押し込まれ、この圧力によって洗浄液は一連の開孔３２ａを通じて各中空針状体３３から略同量滴下する。
そして、マイクロシリンジダイ３０は、通電機構収納ケースのカバー部１３ａｙを取外すことなくスリップリング１３ｃの刷子１３ｅの摺動面に洗浄液を滴下する。
【００４１】
即ち、図２における前記カバー部１３ａｙと、これとの係合に係るマイクロシリンジダイ３０関連構成要素との関係は洗浄液非注入時には図７（Ａ）に示すように、通電機構のカバー部１３ａｙに形成した一連の開孔１３ａｙ１を開閉部材１３ａｙ２が閉塞状態を維持している。そして、図７（Ｂ）に示すように、前記一連の開孔１３ａｙ１に対して、マイクロシリンジダイ３０の中空針状体３３が、挿入されることに伴い、前記開閉部材１３ａｙ２は自動的に開状態に変化し、中空針状体３３を通じて洗浄液が注入可能となる。
この状態において、マイクロシリンジダイ３０のピストン部材３４を矢印Ｙ方向に押圧すると、洗浄液がスリップリング１３ｃの刷子１３ｅの摺動面に滴下し、当該摺動面の洗浄が行われ、洗浄液注入完了時にマイクロシリンジダイ３０を上方に持ち上げ、一連の開孔１３ａｙ１と中空針状体３３との係合を解くことにより、一連の開孔１３ａｙ１は開閉部材１３ａｙ２によって閉塞され、ＯＨＴ用台車１の稼動に備える。
【００４２】
なお、本実施例１においては、通電機構１３はＯＨＴ用台車１の昇降機構６に実装されたまま、スリップリング１３ｃにおける刷子１３ｅの摺動面の洗浄を行うため、図１における昇降体７の昇降方向が転換する時点のスリップリング１３ｃが刷子１３ｅに対向する２箇所（希には１箇所となることもあり得るが通常２箇所）において、絶縁酸化物の被膜が厚く洗浄効果をあげる点に留意が必要となる。
即ち、スリップリング１３ｃの洗浄において、昇降体７は必然的に昇降し、この昇降の切替わり時におけるスリップリング１３ｃの刷子１３ｅとの対向部の洗浄効果はとりわけ弱いこともあり、極力、昇降体７の稼動時の方向転換位置とスリップリング１３ｃの洗浄時における昇降体７の方向転換位置とを、夫々スリップリング１３ｃの刷子１３ｅとの接触位置を変えることが望ましい。
【実施例２】
【００４３】
前記実施例１との相違点のみを抽出した図８において、通電機構１３の収納ケース１３ａにおけるカバー部１３ａｙに形成される一連の開孔１３ａｙ１と同一ピッチの開孔１３ａｙ３を形成したスライド板１３ａｙ４を設ける。
そして、このスライド板１３ａｙ４は、洗浄液非注入時は、図８（Ａ）に示すようにカバー部１３ａｙに形成される一連の開孔１３ａｙ１とスライド板１３ａｙ４との相対位置がずれてカバー部１３ａｙは密閉状態となる。
【００４４】
一方、洗浄液注入時はスライド板を適宜の手段で変位させることで、前記カバー部に形成されている一連の開孔１３ａｙ１がスライド板１３ａｙ４に形成した開孔１３ａｙ３の位置が一致させる。この状態（図７（Ｂ））で、開孔１３ａｙ１とこれに連なるスライド板の開孔１３ａｙ３とを通じて、マイクロシリンジダイ３０の中空針状体３３が挿入され、洗浄液注入後には、中空針状体３３は前記2つの開孔１３ａｙ１、１３ａｙ３から抜き取られ、スライド板１３ａｙ４を変位させることで、開孔１３ａｙ１を閉口する。
この際、スライド板１３ａｙ４の変位手段は手動でも可能であり、開孔１３ａｙ１に対しての中空針状体３３が接近することを、例えば、周知技術を適用して、光電検出して自動的にスライドさせることもできる。
【実施例３】
【００４５】
図４に示す洗浄装置において、スリップリング１３ｃの刷子１３ｅにおける摺動面の洗浄に当り収納ケースのカバーを外して、前記摺動面に洗浄液を滴下する代りに、ＯＨＴ用台車の昇降機構６から取りはずし、収納ケース１３ａのカバー部１３ａｙを固定部１３ａｘに固定したままの状態で実施例１、２のように開閉自在の一連の開孔１３ａｙ３を形成し、当該開孔１３ａｙ３を通じてマイクロシリンジダイ３０の中空針状体３３から洗浄液を注入するようにすることもできる。
【図面の簡単な説明】
【００４６】
【図１】本願各発明に係るＯＨＴ用台車の構成を示す正面図である。
【図２】本願各発明の適用箇所を抽出した概略構成図である。
【図３】スリップリング組立て工程を説明するための分解斜視図である
【図４】通電機構の洗浄装置の構成を示す正面図である。
【図５】通電機構におけるスリップリングに付着する絶縁被膜の成分の分析結果を示す特性図である。
【図６】一連のスリップリングへの洗浄液を滴下するためのマイクロシリンジダイの斜視図である。
【図７】通電機構への洗浄液注入時の具体例を示す概略構成図で、（Ａ）は洗浄液非注入時、（Ｂ）は洗浄液注入時の状態を示す。
【図８】通電機構への洗浄液注入時の他の具体例を示す概略構成図で、（Ａ）は洗浄液非注入時、（Ｂ）は洗浄液注入時の状態を示す。
【符号の説明】
【００４７】
１・・・・・・・・ＯＨＴ用台車
５・・・・・・・・帯状ベルト
５ａ・・・・・・・電線
６・・・・・・・・昇降機構
７・・・・・・・・昇降体
８・・・・・・・・被搬送物
１１・・・・・・・ドラム
１３・・・・・・・通電機構
１３ｂ・・・・・・回転軸
１３ｅ・・・・・・刷子
１３ｈ・・・・・・動力受部材
２２・・・・・・・モータ
２７・・・・・・・洗浄液滴下装置
３０・・・・・・・マイクロシリンジダイ
３３・・・・・・・中空針状体
１３ａｙ１・・・・開孔
１３ａｙ２・・・・開閉部材
１３ａｙ３・・・・スライド板
１３ａｙ４・・・・開孔
【図１】
2006143343.tif 000003
【図２】
2006143343.tif 000004
【図３】
2006143343.tif 000005
【図４】
2006143343.tif 000006
【図５】
2006143343.tif 000007
【図６】
2006143343.tif 000008
【図７】
2006143343.tif 000009
【図８】
2006143343.tif 000010